(57)【要約】【課題】浴室換気乾燥装置において、特定時間帯に運転あるいは停止を行うことで機器の機能を損なわず安価な電力料金で省エネ性を図り、また使用者の快適性も確保することを可能とした浴室換気乾燥装置を提供することを目的としている。【解決手段】浴室内の空気を屋外に排出する換気ファン２と、浴室内の空気を循環させる循環ファン３と、循環させた空気を加熱するヒータ４と、循環ファン３と換気用送風機２とヒータ４を駆動して換気、暖房あるいは／及び乾燥等の運転モードを選択するとともに、電力の安価な特定時間帯か否かを判定し、運転あるいは停止の何れかを行う制御手段６を備える構成とする。【選択図】図１
2009115367.tif 000002
【特許請求の範囲】
【請求項１】
浴室内の空気を屋外に排出する換気用送風機と、前記浴室内の空気を循環させる循環用送風機と、前記循環させた空気を加熱する加熱装置と、前記循環用送風機と前記換気用送風機と前記加熱装置を駆動して換気あるいは／および暖房あるいは／および乾燥等の空調の運転モードを選択するとともに、電力料金の安価な特定時間帯か否かを判定し、運転あるいは停止の何れかを行う制御手段を備えたことを特徴とする浴室換気乾燥装置。
【請求項２】
浴室の使用状況を把握し、特定時間帯に運転あるいは停止の何れかを制御することを特徴とする請求項１記載の浴室換気乾燥装置。
【請求項３】
特定時間帯の信号の有無を判別し、運転あるいは停止を制御することを特徴とする請求項１記載の浴室換気乾燥装置。
【請求項４】
特定時間帯のみ、加熱装置、循環用送風機あるいは／および換気用送風機の能力をアップさせることを特徴とする請求項１から３何れかに記載の浴室換気乾燥装置。
【請求項５】
特定時間帯以外では、涼風あるいは／および換気運転を行ない、特定時間帯では乾燥運転させることを特徴とする請求項１から４何れか記載の浴室換気乾燥装置。
【請求項６】
運転信号の有無により運転を開始、あるいは終了させることを特徴とする請求項２記載の浴室換気乾燥装置。
【請求項７】
人を検知する人感センサーを備え、前記人感センサーの検知により運転を開始あるいは終了させるようにしたことを特徴とする請求項２記載の浴室換気乾燥装置。
【請求項８】
湿度を検知する湿度センサーを備え、前記湿度センサーの検知により運転を開始あるいは終了させるようにしたことを特徴とする請求項２記載の浴室換気乾燥装置。
【発明の詳細な説明】
【技術分野】
【０００１】
本発明は、浴室内を換気、暖房あるいは／および乾燥等の浴室内空調等を行う浴室換気乾燥装置に関する。
【背景技術】
【０００２】
近年、一般家庭の浴室には浴室換気乾燥装置が普及し、浴室内の換気や暖房及び浴室乾燥又は衣類乾燥を行う等、機能が多様化し更なる機能性が追求されている。特に浴室内の乾燥や衣類乾燥運転に関しては、電力消費が大きいため省エネ性が求められている。
【０００３】
従来、この種の浴室空調装置として、浴室内の空気を屋外に排出する換気ファンと、浴室内の空気を循環させる循環ファンと、この循環空気を加熱するヒータとを有するものが知られている。（例えば、特許文献１参照）。
【０００４】
以下、その特許文献１における浴室空調装置について説明する。浴室空調装置は、浴室乾燥を行うときは換気ファン、循環ファン及びヒータを駆動し、浴室内の湿気を換気ファンにより屋外に排出する一方、ヒータで加熱された空気を循環ファンにより浴室内に循環させ、浴室内を高温低湿にする。これにより、浴室内の乾燥やカビの発生を防止するとともに、浴室内に干された洗濯物も乾かすようにしていた。また、浴室乾燥を行なうモードとしてヒータの電力消費が大きい乾燥運転モードと、ヒータの出力を可変して電力消費を抑える省エネ乾燥運転モードを選択できるるよう構成されていた。
【特許文献１】特開平０９−０６０９４１号公報
【発明の開示】
【発明が解決しようとする課題】
【０００５】
このような従来の浴室換気乾燥装置は、例えば、乾燥運転モードを選択すると、ヒーターを駆動させるため、電力の消費が増大し、また、ヒータの出力を可変して電力消費を抑える省エネ乾燥運転モードを選択しても、乾燥運転時間が長くなるため大幅な消費電力の改善には至らない。また、乾燥運転を消費電力のピーク時に行った場合、電力の消費が大きくなり、その影響によりブレーカーが落ちるなど装置の運転が遮断されるなどの弊害も発生するケースもあり、装置の機能を損ない快適性や省エネ性が満たされないという課題がある。
【０００６】
本発明は、このような従来の課題を解決するものであり、機能を損なわず安価な電力料金で省エネ性を図り、また使用者の快適性も確保することを可能とした浴室換気乾燥装置を提供することを目的としている。
【課題を解決するための手段】
【０００７】
本発明の浴室換気乾燥装置は上記目的を達成するために、浴室内の空気を屋外に排出する換気用送風機と、前記浴室内の空気を循環させる循環用送風機と、前記循環させた空気を加熱する加熱装置と、前記循環用送風機と前記換気用送風機と前記加熱装置を駆動して換気あるいは／および暖房あるいは／および乾燥等の空調の運転モードを選択するとともに、電力の安価な特定時間帯か否かを判定し、運転あるいは停止の何れかを行う制御手段を備える構成としたものである。
【０００８】
この手段により、安価な電力の特定時間帯で、加熱装置駆動による乾燥運転などの電力消費の大きい運転を行い、安価な電力の特定時間帯以外では、加熱装置駆動による乾燥運転などの電力消費の大きい運転を停止することで、安価な電力料金で省エネルギー化を図ることができる。
【０００９】
また、浴室の使用状況を把握し、特定時間帯に運転あるいは停止の何れかを制御するような構成としたものである。
【００１０】
この手段により、電力料金が安価な特定時間帯に装置の運転あるいは停止を浴室の使用状況、すなわち、入浴等の浴室内の人の有無に合わせて制御することで、使用者への快適性かつ安価な電力料金での省エネルギー化を図ることができる。
【００１１】
さらに、特定時間帯の電力信号の有無判別し、特定時間帯に運転あるいは停止を制御するような構成としたものである。
【００１２】
この手段により、特定時間帯の電力信号を判別することで装置が自動的に運転停止を行なうことで省エネルギー化を図ることができる。
【００１３】
また、特定時間帯において加熱装置あるいは／および循環用送風機あるいは／および換気用送風機の能力をアップさせる構成としたものである。
【００１４】
この手段により、浴室の乾燥を短時間で終了させることができ、省エネルギー化も図れる。
【００１５】
さらに、特定時間帯以外では、涼風あるいは／および換気運転を行ない特定時間帯では乾燥運転を行なう構成としたものである。
【００１６】
この手段により、消費電力の大きい運転モードは、例えば電力料金の安価な特定時間帯で行なうことにより省エネルギー化を図ることができる。
【００１７】
また、運転信号の有無により運転を開始、あるいは終了させる構成としたものである。
【００１８】
この手段により、使用者の使用状況すなわち運転状態を判別することにより使用者に不快感を与えることなく装置の運転停止をすることができる。
【００１９】
さらに、人を検知する人感センサーを備え、前記人感センサーの信号を検知し装置を運転、あるいは停止する構成としたものである。
【００２０】
この手段により、入浴等の浴室使用者に例えば乾燥運転時の循環空気が人に当たることによる不快感を与えるのを防止することができる。
【００２１】
また、湿度を検知する湿度センサーを備え、前記湿度センサーの検知により運転を開始、あるいは終了させる構成としたものである。
【００２２】
この手段により、湿度センサーで浴室内の湿度を検知することにより装置の運転を的確に行なうことができる。
【発明の効果】
【００２３】
本発明によれば、機能を損なわず、安価な電力料金で省エネ性を図り、また、使用者の快適性も確保することができるという効果のある浴室換気乾燥装置を提供できる。
【００２４】
また、浴室内の空気を屋外に排出する換気用送風機と、前記浴室内の空気を循環させる循環用送風機と、前記循環させた空気を加熱する加熱装置と、前記循環用送風機と前記換気用送風機及び前記加熱装置を駆動して換気循環用送風機と前記換気用送風機と前記加熱装置を駆動して換気、暖房あるいは暖房あるいは／および乾燥等の空調の運転モードを選択するとともに、電力の安価な特定時間帯か否かを判定し、運転あるいは停止の何れかを行う制御手段を備える構成とすることで、安価な電力の特定時間帯で装置の運転停止を行うことで省エネルギー化を図ることができるという効果のある浴室換気乾燥装置を提供できる。
【００２５】
さらに、浴室の使用状況を把握し、特定時間帯に運転あるいは停止の何れかを制御するような構成とすることで、浴室の使用状況と合わせて装置の運転停止を制御することにより、使用者への快適性かつ省エネルギー化を図ることができるという効果のある浴室換気乾燥装置を提供できる。
【００２６】
また、制御手段は、特定時間帯の電力信号の有無判別し、特定時間帯に運転あるいは停止を制御するような構成とすることで、特定時間帯の電力信号を判別することで装置が自動的に運転停止を行なうことで省エネルギー化を図ることができるという効果のある浴室換気乾燥装置を提供できる。
【００２７】
さらに、特定時間帯において加熱装置あるいは循環用送風機及び換気用送風機の能力をアップさせる構成とすることで、浴室の乾燥を短時間で終了させることができ、省エネルギー化も図れることができるという効果のある浴室換気乾燥装置を提供できる。
【００２８】
また、特定時間帯以外では、涼風あるいは換気運転を行ない特定時間帯では乾燥運転を行なう構成とすることで、消費電力の大きい運転モードは特定時間帯で行なうことにより省エネルギー化を図ることができるという効果のある浴室換気乾燥装置を提供できる。
【００２９】
さらに、運転信号の有無により運転を開始、あるいは終了させる構成とすることで、使用者の使用状況すなわち運転状態を判別することにより使用者に不快感を与えることなく装置の運転停止ができるという効果のある浴室換気乾燥装置を提供できる。
【００３０】
また、人を検知する人感センサーを備え、前記人感センサーの信号を検知し装置を運転停止する構成とすることで、使用者に不快感を与えることなく装置の運転あるいは停止をすることができるという効果のある浴室換気乾燥装置を提供できる。
【００３１】
さらに、湿度を検知する湿度センサーを備え、前記湿度センサーの検知により運転を開始、終了させる構成とすることで、湿度センサーで浴室内の湿度を検知することにより装置の運転あるいは停止を的確に行なうことができるという効果のある浴室換気乾燥装置を提供できる。
【発明を実施するための最良の形態】
【００３２】
本発明の請求項１記載の発明は、浴室内の空気を屋外に排出する換気用送風機と、前記浴室内の空気を循環させる循環用送風機と、前記循環させた空気を加熱する加熱装置と、前記循環用送風機と前記換気用送風機と前記加熱装置を駆動して換気あるいは／および暖房あるいは／および乾燥等の空調の運転モードを選択するとともに、電力の安価な特定時間帯か否かを判定し、運転あるいは停止の何れかを行う制御手段を備える構成としたものであり、例えば、安価な電力の特定時間帯で、加熱装置駆動による乾燥運転などの電力消費の大きい運転を行い、安価な電力の特定時間帯以外では、加熱装置駆動による乾燥運転などの電力消費の大きい運転を停止することで、安価な電力料金で省エネルギー化を図ることができるという作用を有する。
【００３３】
また、浴室の使用状況を把握し、特定時間帯に運転あるいは停止の何れかを制御するような構成としたものであり、電力料金が安価な特定時間帯に装置の運転あるいは停止を浴室の使用状況、すなわち、入浴等の浴室内の人の使用、有無に合わせて制御することで、使用者への快適性かつ安価な電力料金での省エネルギー化を図ることができ、使用者への快適性かつ省エネルギー化を図ることができる。使用者が毎回運転操作をすることなく装置の運転を特定時間帯で行なうことで省エネルギー化も図ることができるという作用を有する。
【００３４】
さらに、制御手段は、特定時間帯の電力信号の有無を判別し、特定時間帯に運転あるいは停止を制御するような構成としたものであり、特定時間帯の電力信号を判別することで装置が自動的に運転停止を行なうことで省エネルギー化を図ることができるという作用を有する。
【００３５】
さらに、特定時間帯において加熱装置あるいは／および循環用送風機あるいは／および換気用送風機の能力をアップさせる構成としたものであり、例えば、安価な電力料金の特定時間帯のみ加熱装置あるいは／および循環用送風機あるいは／および換気用送風機などの構成機器の能力アップをさせることで、浴室の乾燥を短時間で終了させることができ、省エネルギー化も図れることができるという作用を有する。
【００３６】
また、特定時間帯以外では、涼風あるいは／および換気運転を行ない、安価な電力料金の特定時間帯では乾燥運転を行なう構成としたものであり、消費電力の大きい運転モードは安価な電力料金の特定時間帯で行なうことにより安価な電力料金で省エネルギー化を図ることができるという作用を有する。安価な電力料金の時間帯では、電力需要が低く、その時間帯に電力需要を上げることで、電力利用効率が上がり、省エネルギーとなる。
【００３７】
さらに、運転信号の有無により運転を開始、あるいは終了させる構成としたものであり、使用者の使用状況すなわち運転状態を判別することにより使用者に不快感を与えることなく装置の運転停止ができるという作用を有する。
【００３８】
また、人を検知する人感センサーを備え、前記人感センサーの信号を検知し装置を運転あるいは停止する構成としたものであり、前記人感センサーで人を検知すれば浴室換気乾燥装置を停止することで、入浴等の浴室使用者に例えば乾燥運転時の循環空気が人に当たることによる不快感を与えるのを防止することができ、使用者に不快感を与えることなく装置の運転、あるいは停止をすることができるという作用を有する。
【００３９】
さらに、湿度を検知する湿度センサーを備え、前記湿度センサーの検知により運転を開始、終了させる構成としたものであり、入浴等があれば湿度が上がるが、湿度センサーで浴室内の湿度を検知することにより、湿度上昇等により人の入浴等を検知すれば浴室換気乾燥装置を停止することで、入浴等の浴室使用者に例えば乾燥運転時の循環空気が人に当たることによる不快感を与えるのを防止することができるという作用を有する。
【００４０】
以下、本発明の実施の形態について図面を参照しながら説明する。
【００４１】
（実施の形態１）
図１は、本発明の実施の形態１における浴室換気乾燥装置の構成図を示す。図１に示すように、浴室１内の空気を屋外に排出する浴室換気用送風機としての換気ファン２と、浴室１内の空気を循環させる循環用送風機としての循環ファン３と、循環させる空気を加熱する加熱装置としてのヒータ４と、循環ファン３と換気ファン２とヒータ４等を駆動して暖房あるいは／および換気あるいは／および乾燥等の浴室内の空調の運転モードを選択する制御装置５と、電力料金が安価な特定時間帯か否かを判定し、装置の運転あるいは停止の何れかを行う制御手段６を備えている。
【００４２】
次に、制御装置５のブロック図について図２を参照しながら説明する。図２に示すように、制御装置５には、装置を操作するリモコン１０が接続され、装置の運転、あるいは停止を行なう運転スイッチや、装置の運転モードを切り替える運転モード切替スイッチ、さらには、装置の運転時間を設定できるタイマースイッチ等で構成され使用者が、運転、停止あるいは運転モードを選択できるようになっている。前記リモコン１０からの各スイッチ設定情報により、例えば、乾燥運転モードが選択された場合、換気ファン出力処理７を介して換気ファン２を駆動させ、更に、循環ファン出力処理８を介して循環ファン３を駆動させ、さらには、ヒータ出力処理９を介してヒータ４を駆動させ乾燥運転が行なわれる。また、電力料金の安価な特定時間帯、例えば、電力料金の安価な深夜電力の時間帯か否かを自動判別し、電力料金の安価な特定時間帯であれば装置を運転させ、電力料金の安価な特定時間帯でなければ運転を停止、終了する自動運転機能を備えている。
【００４３】
次に、制御手段６は、電力の安価な特定時間帯（例えば深夜電力の２３時〜７時）を判断するため、例えば、２４時間タイマ機能により設定された時間をタイマ判定処理１１で判断し、特定時間帯を判別する。なお、時間判定は２４時間タイマを使用したが、時計機能を使用しても作用効果に差異はない。特定時間帯に入った場合、電力消費の大きい加熱装置を駆動する運転モード、例えば、乾燥運転モードで浴室換気乾燥装置を運転させる。制御装置５より、換気ファン２及び循環ファン３さらにヒータ４へ出力を行い、浴室の乾燥運転を開始する。
【００４４】
なお、運転モードを乾燥運転としたが、使用者が使用するリモコン１０の運転モードは選択出来るものとする。また、使用者は時間帯に関係なく運転、あるいは停止操作は可能である。
【００４５】
制御手段６は、電力料金の安価な特定時間帯の場合には、電力の消費が大きい加熱装置を運転させる運転モード（例えば、乾燥運転）で運転し、電力料金の安価な特定時間帯以外の時間帯では、加熱装置を駆動しない運転モード（例えば、涼風運転あるいは換気運転モード）で運転を行うなど、特定時間帯に合わせて運転モードを切り分けることも可能である。
【００４６】
また、電力料金の安価な特定時間帯のみ換気ファン２や循環ファン３及びヒータ４の各負荷の入力をアップ（例えば２０％アップ）することで、浴室の乾燥あるいは衣類乾燥など通常乾燥時間より早期に乾燥することもできる。
【００４７】
以上のように、本発明の実施の形態１によれば、電力料金の安価な特定時間帯を判別する機能を備えることで、浴室の乾燥あるいは衣類乾燥などヒータなどの加熱装置を使用する乾燥運転などの電力消費の大きい運転を、電力料金の安価な特定時間帯に行うことができ、安価な電力料金で省エネ性を図ることができることとなる。電力料金の安価な特定時間帯は、消費電力がピークの時間帯ではないため、ヒータ使用等の消費電力の大きい運転を行っても、ブレーカーが落ちるなど装置の運転が遮断されるなどの弊害も発生することなく、装置の機能を損なわない運転が可能となる。
【００４８】
なお、加熱装置はヒータを使用したが、コイル等を使用しても作用効果に差異はない。
【００４９】
（実施の形態２）
図３は、本発明の実施の形態２における浴室換気乾燥装置の構成図を示す。実施の形態１と同一部分は同一符号を附し、詳細な説明は省略する。
【００５０】
図３に示すように、浴室１内の空気を屋外に排出する浴室換気用送風機としての換気ファン２と、浴室１内の空気を循環させる循環用送風機としての循環ファン３と、循環させる空気を加熱する加熱装置であるヒータ４と、循環ファン３及び換気ファン２とヒータ４等を駆動して暖房、換気あるいは／および乾燥等の空調の運転モードを選択する制御装置５ｂと、特定時間帯か否かを判定し、装置の運転あるいは停止の何れかを行う制御手段６ｂを備えている。特定時間帯は、例えば電力料金の安価な時間帯を特定時間帯とするものである。
【００５１】
次に制御装置５ｂのブロック図について図４を参照しながら説明する。図４に示すように制御装置５ｂには、装置に接続される電力の内、一般的な時間帯における電力と、特定時間帯における電力の信号を判別する電力判定処理１２が設けられ、前記電力判定処理からの信号を制御手段６ｂで判断し、特定時間帯を判別する。特定時間帯と判別すると、電力消費の大きい加熱装置を駆動する運転モード、例えば、乾燥運転モードで浴室換気乾燥装置を運転させる。制御装置５ｂより、換気ファン２及び循環ファン３さらにヒータ４へ出力を行い、浴室の乾燥運転を開始する。
【００５２】
以上のように、本発明の実施の形態２によれば、制御手段６ｂは特定時間帯の判別を電力信号で判別する機能を有することで、例えば電力料金の安価な特定時間帯に電力消費の大きい運転モードで装置の運転を行い、あるいは、電力料金の安価な特定時間帯以外の時間帯では停止させることにより、安価な電力料金で省エネ性を図ることができることとなる。
【００５３】
（実施の形態３）
図５は、本実施の形態３における浴室換気乾燥装置の構成図を示す。実施の形態１または２と同一部分は同一符号を附し、詳細な説明は省略する。図５に示すように、浴室１内の空気を屋外に排出する浴室換気用送風機としての換気ファン２と、浴室１内の空気を循環させる循環用送風機としての循環ファン３と、循環させる空気を加熱する加熱装置であるヒータ４と、循環ファン３と換気ファン２とヒータ４等を駆動して暖房、換気あるいは／および乾燥等の運転モードを選択する制御装置５ｃと、特定時間帯か否かを判定し、装置の運転あるいは停止の何れかを行う制御手段６ｃを備えている。特定時間帯は、例えば電力料金の安価な時間帯を特定時間帯とするものである。
【００５４】
次に制御装置５ｃのブロック図について図６を参照しながら説明する。図６に示すように制御装置５ｃに備えられている制御手段６ｃは、特定時間帯を判別し運転を行なう際、既に使用者が浴室換気乾燥装置を使用中、あるいは、入浴中の場合、急に浴室換気乾燥装置が動作すると乾燥運転の循環送風空気等により使用者に対し不快感を与える。そこで、例えば、自動運転スイッチ１３を設け、その情報を制御手段６ｃで取り込み浴室換気乾燥装置の運転を行なうか否かを判断し、特定時間帯でも浴室が使用中であれば装置の運転を保留とし、浴室の使用後に運転あるいは停止させる。
【００５５】
また、制御手段６ｃは自動運転スイッチ１３の入力があった場合、浴室内の使用状況、すなわち、浴室が入浴等の使用されたいるかどうかを、例えば、赤外線焦電センサーなどの人感センサ１４からの情報で浴室が使用されているかどうかを判断し、人感センサ１４の検知入力があった場合、例えば、浴室の乾燥運転モードの運転を保留とし、その後、特定時間帯かつ人感センサ１４（赤外線感知タイプ）の検知入力がなくなった場合に浴室換気乾燥装置を乾燥運転モードで運転させる。
【００５６】
なお、浴室内の使用状況を人を検知する人感センサ１４を用いたが、浴室換気乾燥装置の運転信号（図示せず）の有無を判断して運転停止を行なってもよい。
【００５７】
また、入浴が済んで浴室から退室した直後は、浴室内の湿度も温度も高いが、時間の経過とともに浴室内の湿度と温度は徐々に低下していくため、例えば、温度や湿度を検知する各種センサー、例えば、温度センサーまたは、湿度センサー（高分子抵抗型タイプ）を用いて浴室の使用状況を判断することもできる。
【００５８】
以上のように、本発明の実施の形態３によれば、制御手段６ｃは特定時間帯を判別する機能と合わせて浴室の使用状況を認識することで、使用者への不快感をなくし、さらに消費電力を抑えることができる。
【産業上の利用可能性】
【００５９】
装置の運転に関し、特定時間帯を利用することで、装置の省エネ性かつ快適性を確保することを可能とすることができるため、一般家庭あるいは産業用の空調装置等の設備などの用途にも適用できる。
【図面の簡単な説明】
【００６０】
【図１】本発明の実施の形態１の浴室換気乾燥装置の構成図
【図２】同制御装置５の制御ブロック図
【図３】本発明の実施の形態２の浴室換気乾燥装置の構成図
【図４】同制御装置５ｂの制御ブロック図
【図５】本発明の実施の形態３の浴室換気乾燥装置の構成図
【図６】同制御装置５ｃの制御ブロック図
【符号の説明】
【００６１】
１    浴室
２    換気ファン
３    循環ファン
４    ヒータ
５    制御装置
６    制御手段
６ｂ  制御手段
６ｃ  制御手段
７    換気ファン出力処理
８    循環ファン出力処理
９    ヒータ出力処理
１０  リモコン
１１  タイマ判定処理
１２  電力判定処理
１３  自動運転スイッチ
１４  人感センサ
【図１】
2009115367.tif 000003
【図２】
2009115367.tif 000004
【図３】
2009115367.tif 000005
【図４】
2009115367.tif 000006
【図５】
2009115367.tif 000007
【図６】
2009115367.tif 000008